(57)【特許請求の範囲】
【請求項１】
情報提供サーバ、中継通信端末装置、及び、一時的記憶手段と保存用記憶手段とを備える通信端末装置を備えるデータ保存制限システムであって、
前記通信端末装置は、
前記情報提供サーバからダウンロードしたファイルを、前記一時的記憶手段に記憶させる手段と、
保存指示の入力があった場合に、ダウンロードしたファイルの保存諾否が設定された保存諾否設定情報が保存許可を示すものであった場合には、前記一時的記憶手段に記憶されている前記ファイルを読み出して前記保存用記憶手段に記憶させ、前記保存諾否設定情報が保存不許可を示すものであった場合には、前記一時的記憶手段に記憶されている前記ファイルの識別子および前記中継通信端末装置の識別子を含むファイル送信依頼情報を前記情報提供サーバへ送信する保存制御手段を備え、
前記情報提供サーバは、
前記通信端末装置から前記ファイル送信依頼情報を受信した場合に、前記ファイル送信依頼情報に含まれるファイルの識別子に対応する保存対象ファイルを、前記ファイル送信依頼情報に含まれる中継通信端末装置の識別子に対応する中継通信端末装置に送信する手段を備え、
前記中継通信端末装置は、
前記情報提供サーバから前記保存対象ファイルを受信した場合に、複写を許可する操作情報の入力があった場合に、前記保存対象ファイルを前記通信端末装置に送信する手段と、
を備え、
前記保存制御手段は、
前記中継通信端末装置から前記保存対象ファイルを受信した場合に、受信した前記保存対象ファイルを前記保存用記憶手段に記憶させることを特徴とするデータ保存制限システム。
【請求項２】
一時的記憶手段と保存用記憶手段とを備え、情報提供サーバからファイルをダウンロードするとともに、前記ダウンロードしたファイルの保存諾否を中継通信端末装置に伺う通信端末装置であって、
前記情報提供サーバからダウンロードしたファイルを、前記一時的記憶手段に記憶させる手段と、
保存指示の入力があった場合に、ダウンロードしたファイルの保存諾否が設定された保存諾否設定情報が保存許可を示すものであった場合には、前記一時的記憶手段に記憶されている前記ファイルを読み出して前記保存用記憶手段に記憶させ、前記保存諾否設定情報が保存不許可を示すものであった場合には、前記一時的記憶手段に記憶されている前記ファイルの識別子および中継通信端末装置の識別子を含むファイル送信依頼情報を前記情報提供サーバへ送信するとともに、前記ファイル送信依頼情報に応じて前記情報提供サーバが送信した前記ファイルの識別子に対応する保存対象ファイルを前記中継通信端末装置から受信した場合に、受信した前記保存対象ファイルを前記保存用記憶手段に記憶させる保存制御手段と、
を備えることを特徴とする通信端末装置。
【請求項３】
一時的記憶手段と保存用記憶手段とを備え、情報提供サーバからファイルをダウンロードするとともに、前記ダウンロードしたファイルの保存諾否を中継通信端末装置に伺う通信端末装置によって実行されるプログラムであって、
前記通信端末装置に、
前記情報提供サーバからダウンロードしたファイルを、前記一時的記憶手段に記憶させる手順と、
保存指示の入力があった場合に、ダウンロードしたファイルの保存諾否が設定された保存諾否設定情報が保存許可を示すものであった場合には、前記一時的記憶手段に記憶されているファイルを読み出して前記保存用記憶手段に記憶させ、前記保存諾否設定情報が保存不許可を示すものであった場合には、前記一時的記憶手段に記憶されている前記ファイルの識別子および中継通信端末装置の識別子を含むファイル送信依頼情報を前記情報提供サーバへ送信する手順と、
前記ファイル送信依頼情報に応じて前記情報提供サーバが送信した前記ファイルの識別子に対応する保存対象ファイルを前記中継通信端末装置から受信した場合に、受信した前記保存対象ファイルを前記保存用記憶手段に記憶させる手順と、
を実行させることを特徴とするプログラム。
【発明の詳細な説明】
【技術分野】
【０００１】
本発明は、データ保存制限システム、通信端末装置、及びプログラムに関する。本発明は、インターネット上の情報提供サーバからダウンロードしたデータを通信端末装置に保存する際のフィルタリング機能に適用することができる。
【背景技術】
【０００２】
インターネットへのアクセスをフィルタリングする手法として、フィルタリングサーバを用意し、インターネット利用者（例えば子供）の通信端末装置からインターネット上の有害な画像等の参照先のコンテンツサーバー等へのアクセスを制限する手法が知られている。
【０００３】
図１２に従来のインターネットへのアクセスをフィルタリングするシステム構成例を示す。図１２において、Ａはインターネットへのアクセスを制限する例えば子供用の携帯電話、Ｂは例えば子供用の携帯電話Ａのアクセス制限を設定する例えば親の携帯電話、Ｃ１はアクセスが許可される情報提供サーバ、Ｃ２はアクセスが許可されない情報提供サーバ、Ｄはフィルタリングサーバである。
【０００４】
携帯電話Ａ（子供）からインターネットのサーバへアクセスする場合、その中間にフィルタリングサーバＤを用意し、携帯電話Ａ（子供）からは、該フィルタリングサーバＤを介してインターネットのサーバへアクセスするようにする。該フィルタリングサーバＤには、携帯電話機Ｂ（親）からアクセス制限用のフィルタリングルール情報（例えば、アクセス制限ＵＲＬ又はアクセス許可ＵＲＬ）を設定する。
【０００５】
上記フィルタリングルール情報として、例えば、情報提供サーバＣ１へのアクセスは許可、情報提供サーバＣ２へのアクセスは非許可とする情報が設定される。フィルタリングサーバＤは、上記フィルタリングルール情報に従い、携帯電話Ａ（子供）からの情報提供サーバＣ１（許可）へのアクセスは許可する。
【０００６】
一方、携帯電話Ａ（子供）からの情報提供サーバＣ２（非許可）へのアクセスは許可しない。このような、インターネット利用者（子供）に対する監督者（親）によるアクセス制限の技術は、例えば下記の特許文献１等によっても知られている。
【先行技術文献】
【特許文献】
【０００７】
【特許文献１】国際公開第２００７／０７２２０９号パンフレット
【発明の概要】
【発明が解決しようとする課題】
【０００８】
携帯電話の保有者は、インターネット上の情報提供サーバに公開されているコンテンツ（例えば、著作権付き画像データ等）のファイルを自由に携帯電話等の通信端末装置に取り込んで保存することができる。
【０００９】
従来のフィルタリングサーバの技術を用いて、子供の通信端末装置からアクセス可能なサーバを制限することはできる。しかしながら、子供の通信端末装置がアクセス可能なサーバからコンテンツファイルをダウンロードすることを、親等の監督者が制限することができないという問題があった。
【００１０】
本発明は、子供等の被監督者の通信端末装置でインターネット上の情報提供サーバからダウンロードした画像データ等のファイルを保存しようとした場合に、親等の監督者の通信端末装置で該ファイルを確認し、親等の監督者の承諾の下に該ファイルを子供等の被監督者の通信端末装置に保存することができるようにする。
【課題を解決するための手段】
【００１１】
上記課題を解決する手段の一態様としてのデータ保存制限システムは、情報提供サーバ、中継通信端末装置、及び、一時的記憶手段と保存用記憶手段とを備える通信端末装置を備えるデータ保存制限システムであって、前記通信端末装置は、前記情報提供サーバからダウンロードしたファイルを、前記一時的記憶手段に記憶させる手段と、保存指示の入力があった場合に、ダウンロードしたファイルの保存諾否が設定された保存諾否設定情報が保存許可を示すものであった場合には、前記一時的記憶手段に記憶されている前記ファイルを読み出して前記保存用記憶手段に記憶させ、前記保存諾否設定情報が保存不許可を示すものであった場合には、前記一時的記憶手段に記憶されている前記ファイルの識別子および前記中継通信端末装置の識別子を含むファイル送信依頼情報を前記情報提供サーバへ送信する保存制御手段を備え、前記情報提供サーバは、前記通信端末装置から前記ファイル送信依頼情報を受信した場合に、前記ファイル送信依頼情報に含まれるファイルの識別子に対応する保存対象ファイルを、前記ファイル送信依頼情報に含まれる中継通信端末装置の識別子に対応する中継通信端末装置に送信する手段を備え、前記中継通信端末装置は、前記情報提供サーバから前記保存対象ファイルを受信した場合に、複写を許可する操作情報の入力があった場合に、前記保存対象ファイルを前記通信端末装置に送信する手段と、を備え、前記保存制御手段は、前記中継通信端末装置から前記保存対象ファイルを受信した場合に、受信した前記保存対象ファイルを前記保存用記憶手段に記憶させるものである。
【００１２】
また、上記課題を解決する手段の他の態様としての通信端末装置は、一時的記憶手段と保存用記憶手段とを備え、情報提供サーバからファイルをダウンロードするとともに、前記ダウンロードしたファイルの保存諾否を中継通信端末装置に伺う通信端末装置であって、前記情報提供サーバからダウンロードしたファイルを、前記一時的記憶手段に記憶させる手段と、保存指示の入力があった場合に、ダウンロードしたファイルの保存諾否が設定された保存諾否設定情報が保存許可を示すものであった場合には、前記一時的記憶手段に記憶されている前記ファイルを読み出して前記保存用記憶手段に記憶させ、前記保存諾否設定情報が保存不許可を示すものであった場合には、前記一時的記憶手段に記憶されている前記ファイルの識別子および中継通信端末装置の識別子を含むファイル送信依頼情報を前記情報提供サーバへ送信するとともに、前記ファイル送信依頼情報に応じて前記情報提供サーバが送信した前記ファイルの識別子に対応する保存対象ファイルを前記中継通信端末装置から受信した場合に、受信した前記保存対象ファイルを前記保存用記憶手段に記憶させる保存制御手段と、を備えるものである。
【００１３】
また、上記課題を解決する手段の他の態様としてのプログラムは、一時的記憶手段と保存用記憶手段とを備え、情報提供サーバからファイルをダウンロードするとともに、前記ダウンロードしたファイルの保存諾否を中継通信端末装置に伺う通信端末装置によって実行されるプログラムであって、前記通信端末装置に、前記情報提供サーバからダウンロードしたファイルを、前記一時的記憶手段に記憶させる手順と、保存指示の入力があった場合に、ダウンロードしたファイルの保存諾否が設定された保存諾否設定情報が保存許可を示すものであった場合には、前記一時的記憶手段に記憶されている前記ファイルを読み出して前記保存用記憶手段に記憶させ、前記保存諾否設定情報が保存不許可を示すものであった場合には、前記一時的記憶手段に記憶されている前記ファイルの識別子および中継通信端末装置の識別子を含むファイル送信依頼情報を前記情報提供サーバへ送信する手順と、前記ファイル送信依頼情報に応じて前記情報提供サーバが送信した前記ファイルの識別子に対応する保存対象ファイルを前記中継通信端末装置から受信した場合に、受信した前記保存対象ファイルを前記保存用記憶手段に記憶させる手順と、を実行させるものである。
【発明の効果】
【００１４】
子供等の被監督者の通信端末装置でインターネット上の情報提供サーバからダウンロードした画像データ等のファイルを保存しようした場合に、親等の監督者の通信端末装置で該ファイルを確認し、親等の監督者の承諾の下に該ファイルを子供等の被監督者の通信端末装置に保存させることが可能となる。
【図面の簡単な説明】
【００１５】
【図１】インターネットデータのファイル保存を制限する全体の処理シーケンス例を示す図である。
【図２】親子同期処理のシーケンス例を示す図である。
【図３】ウェブページの取得処理及び送信処理のシーケンス例を示す図である。
【図４】保存条件判定の処理シーケンス例を示す図である。
【図５】承認転送要求及びデータ転送処理のシーケンス例を示す図である。
【図６】複写承認処理のシーケンス例を示す図である。
【図７】承認済みウェブページ転送処理のシーケンス例を示す図である。
【図８】ウェブページ複写処理のシーケンス例を示す図である。
【図９】インターネットデータ保存制限システムのハードウェアブロック構成例を示す図である。
【図１０】携帯電話Ａ、Ｂ及び情報提供サーバＣの機能ブロック構成例を示す図である。
【図１１】携帯電話の表示画面の一例を示す図である。
【図１２】従来のインターネットへのアクセスをフィルタリングするシステム構成例を示す図である。
【発明を実施するための形態】
【００１６】
インターネットデータのファイル保存を制限する全体の処理シーケンス例を図１に示す。図１は、インターネットデータのファイル保存が制限される通信端末装置（例えば、子供の携帯電話、以下「携帯電話Ａ」と記す。）と、該ファイル保存を監視し制限する中継通信端末装置（例えば、親の携帯電話、以下「携帯電話Ｂ」と記す。）を含む処理シーケンス例を示している。
【００１７】
まず、携帯電話Ａ（子）と携帯電話Ｂ（親）との間で、親子同期処理（１−１）を実行する。該親子同期処理（１−１）については図２を参照して詳述する。該親子同期処理（１−１）により、携帯電話Ａ（子）に“承認必要”の保存条件が設定される。
【００１８】
携帯電話Ａ（子）は、情報提供サーバＣ（コンテンツサーバ等）に対してウェブページの取得処理を実施し（１−２）、情報提供サーバＣ（コンテンツサーバ等）は、携帯電話Ａ（子）にウェブページの送信処理を実施する（１−３）。ウェブページの取得及び送信処理については、図３を参照して詳述する。
【００１９】
携帯電話Ａ（子）は、保存条件の判定処理を実施し（１−４）、複写条件を判定する（１−５）。保存条件の判定処理については、図４を参照して詳述する。複写条件が、“承認必要”と設定されている場合、携帯電話Ａ（子）は、承認処理を経るデータ転送を要求する承認転送要求のメッセージを情報提供サーバＣへ送信する（１−６）。情報提供サーバＣは、該承認処理を経るデータ転送を、携帯電話Ｂ（親）に対して実施する（１−７）。承認転送要求及びデータ転送処理のシーケンスについては、図５を参照して詳述する。
【００２０】
携帯電話Ｂ（親）は、承認処理を経るデータ転送を情報提供サーバＣから受けると、複写承認処理を実施する（１−８）。複写承認処理については、図６を参照して詳述する。該複写承認処理において、複写承認が“承認”と設定されたか、“承認不可”と設定されたかを判定し（１−９）、“承認不可”と設定された場合、携帯電話Ａ（子）に対して、承認不可の旨を通知し（１−１０）、転送されたデータを消去する（１−１１）。
【００２１】
一方、“承認”と設定された場合、携帯電話Ａ（子）に対して、承認の旨を通知し（１−１２）、承認済みのウェブページのデータを、携帯電話Ａ（子）に転送する（１−１３）。承認済みウェブページ転送処理については、図７を参照して詳述する。
【００２２】
携帯電話Ａ（子）では、携帯電話Ｂ（親）からの複写承認の通知を待ち（１−１４）、“承認不可”が通知された場合は、承認不可の旨を表示し（１−１５）、終了する。一方、“承認”が通知された場合は、携帯電話Ｂ（親）から転送されたウェブページのファイルの複写処理を実施する（１−１６）。ウェブページの複写処理については、図８を参照して詳述する。
【００２３】
図２に親子同期処理のシーケンス例を示す。携帯電話Ｂ（親）は、携帯電話Ａ（子）との同期開始指示の有無を監視する（２−１）。携帯電話Ｂ（親）は、親子同期開始ボタンの押下等による同期開始指示を検出すると、周辺で送信されているブルートゥース等の近距離無線信号の報知情報のサーチを開始する（２−２）。なお、以下では、近距離無線信号としてブルートゥース信号の例について説明する。
【００２４】
携帯電話Ａ（子）は、ブルートゥース信号の報知情報を定期的に送信する（２−３）。携帯電話Ｂ（親）は、ブルートゥース信号の報知情報が検出されるか監視し（２−４）、該報知情報が検出されると、該報知情報を基にブルートゥース装置情報を表示する（２−５）。
【００２５】
携帯電話Ｂ（親）では、表示したブルートゥース装置情報の中から、携帯電話Ａ（子）が選択された監視し（２−６）、携帯電話Ａ（子）が選択された場合、携帯電話Ａ（子）に対してブルートゥース通信の開始を依頼する（２−７）。携帯電話Ａ（子）は、該ブルートゥース通信の開始依頼に対して、応答信号を返送する（２−８）。
【００２６】
携帯電話Ｂ（親）は、携帯電話Ａ（子）からのブルートゥース通信開始依頼応答を受信すると、携帯電話Ａ（子）との同期用メモリ領域を一時保存用記憶部に割り当てて取得する（２−９）。そして、携帯電話Ｂ（親）は、自装置の電話番号Ｂを含む同期依頼情報を携帯電話Ａ（子）に通知する（２−１０）。
【００２７】
携帯電話Ａ（子）は、該同期依頼情報を携帯電話Ｂ（親）から受信すると、携帯電話Ｂ（親）との同期用メモリ領域を一時保存用記憶部に割り当てて取得する（２−１１）。携帯電話Ａ（子）は、該同期用メモリに携帯電話Ｂ（親）の電話番号Ｂを設定し、また、“承認必要”の保存条件を設定する（２−１２）。そして、携帯電話Ａ（子）は、携帯電話Ｂ（親）に同期依頼通知の応答信号を返送する（２−１３）。なお、携帯電話Ｂ（親）の電話番号Ｂは、携帯電話Ｂ（親）の電子メールアドレスとすることができる。
【００２８】
図３にウェブページの取得処理及び送信処理のシーケンス例を示す。携帯電話Ａ（子）では、ブラウザが起動され（３−１）、パケット通信が開始され（３−２）、ウェブページの表示ページ（ＵＲＬ：Uniform Resource Locator）が指定される（３−３）。該表示ページ（ＵＲＬ）の指定が行われると、携帯電話Ａ（子）は、該表示ページ（ＵＲＬ）のデータを取得するＧＥＴ  ＵＲＬコマンドを情報提供サーバＣへ送信する（３−４）。
【００２９】
情報提供サーバＣは、該表示ページ（ＵＲＬ）のデータを携帯電話Ａ（子）へレスポンスとして送信する（３−５）。携帯電話Ａ（子）は、該表示ページ（ＵＲＬ）のデータを一時保存用記憶部に記憶し（３−６）、ブラウザ画面に表示する。携帯電話Ａ（子）では、該表示ページを閲覧することはできるが、該表示ページのデータファイルを、この段階では保存することはできない。
【００３０】
携帯電話Ａ（子）で、他の表示ページ（ＵＲＬ）の取得が指定されれば（３−８）、前述のシーケンス（３−４）に戻って同様の処理を行う。携帯電話Ａ（子）では、表示したウェブページのデータの複写を要望する複写指定が、ユーザにより行われるか否かを監視する（３−９）。
【００３１】
図４に保存条件判定の処理シーケンス例を示す。携帯電話Ａ（子）では、一時保存用記憶部の同期用メモリに設定される保存条件を参照する（４−１）。保存条件として“承認必要”が設定されているか“承認不要”が設定されているかを判定し、“承認必要”が設定されている場合、該同期用メモリに設定された同期用携帯電話番号を参照する（４−３）。
【００３２】
該同期用メモリに同期用携帯電話番号が登録されているか否かを判定し（４−４）、登録されている場合、複写条件を“承認必要”に設定する（４−５）。該同期用メモリに同期用携帯電話番号が登録されていない場合、複写条件を“承認不要”に設定する（４−６）。
【００３３】
図５に承認転送要求及びデータ転送処理のシーケンス例を示す。携帯電話Ａ（子）は、ウェブページ取得処理で複写指定が行われた複写対象の画像ファイル等の格納場所（ＵＲＬ等、情報提供サーバでの格納場所）を、転送依頼ＵＲＬとして設定する（５−１）。そして、携帯電話Ａ（子）は、該転送依頼ＵＲＬを含み、転送先を携帯電話Ｂ（親）とする承認送信通知を、情報提供サーバＣに送信する（５−２）。
【００３４】
該承認送信通知を受信した情報提供サーバＣは、転送依頼ＵＲＬの画像ファイル等のファイルを電子メールに添付し（５−３）、転送先を携帯電話Ｂ（親）とする承認送信メールを送信する（５−４）。該承認送信メールのタイトルには、例えば“承認送信”などとすることができる。
【００３５】
携帯電話Ｂ（親）は、電子メールを受信すると（５−５）、該電子メールが承認送信メールか否かを判定する（５−６）。例えば、メールのタイトルに“承認送信”という文字列が含まれていた場合に、当該メールが承認送信メールであると判定することが考えられる。該電子メールが承認送信メールである場合、添付ファイルを一時保存記憶部に保存する（５−７）。そして、携帯電話Ｂ（親）は、複写承認処理を起動する（５−８）。
【００３６】
図６に複写承認処理のシーケンス例を示す。携帯電話Ｂ（親）は、一時保存用記憶部に記憶された複写承認待ちコンテンツを表示し（６−１）、複写承認用のソフトウェアキーを表示する（６−２）。携帯電話Ｂ（親）では、押下された複写承認用のソフトウェアキーを判定する（６−３）。承認キーが押下された場合、複写承認識別情報を“承認”に設定する（６−４）。非承認キーが押下された場合、複写承認識別情報を“非承認”に設定する（６−５）。
【００３７】
図７に承認済みウェブページ転送処理のシーケンス例を示す。携帯電話Ｂ（親）は、一時保存用記憶部に記憶された認証済みコンテンツのデータを携帯電話Ａ（子）へ転送するためのブルートゥースファイル転送を開始する（７−１）。携帯電話Ａ（子）は、該ブルートゥースファイル転送開始に対する応答を携帯電話Ｂ（親）に返送する。
【００３８】
携帯電話Ｂ（親）は、認証済みコンテンツのデータファイルを携帯電話Ａ（子）へ転送する（７−３）。携帯電話Ａ（子）は、認証済みコンテンツのデータファイルを一時保存用記憶部に保存する（７−４）。携帯電話Ｂ（親）は、認証済みコンテンツのデータファイルの転送終了時に、ブルートゥースファイル転送終了を携帯電話Ａ（子）に通知する（７−５）。携帯電話Ａ（子）は、携帯電話Ｂ（親）からのブルートゥースファイル転送終了の通知に対して、その応答を携帯電話Ｂ（親）に返送する（７−６）。
【００３９】
図８にウェブページ複写処理のシーケンス例を示す。なお、この時点の一時保存用記憶部には、保存条件判定処理において承認不要と判定された場合には情報提供サーバＣからダウンロードされたコンテンツのデータファイルが、保存条件判定処理において承認必要と判定された場合には携帯電話Ｂから転送されたコンテンツのデータファイルが記憶されている。
【００４０】
携帯電話Ａ（子）は、コンテンツのデータファイルの保存用ファイル名を生成する（８−１）。該保存用ファイル名として、その時点の年月日時分等を含むファイル名を自動的に生成する構成とすることができる。
【００４１】
携帯電話Ａ（子）は、一時保存用記憶部に記憶されたコンテンツのデータファイルを、保存用記憶部に上述のファイル名で保存する（８−２）。携帯電話Ａ（子）では、保存用記憶部に保存されたコンテンツのデータを読み出し、再利用することが可能となる。
【００４２】
なお、保存条件判定処理において承認必要と判定された場合に、情報提供サーバＣへ承認転送要求をするのと併せて、一時保存用記憶部からコンテンツのデータファイルを削除してもよい。また、上述の説明では、携帯電話Ｂから受信したコンテンツのデータを、一旦一時保存用記憶部に格納する例を説明したが、受信したコンテンツをそのまま保存用記憶部に保存する形態も考えられる。このような形態とすることで、一時保存用記憶部にコンテンツのデータが存在しなくなるため、承認が必要な場合にも関わらず誤って一時保存用記憶部のコンテンツのデータが複写できてしまうという事象を防止する効果を高めることができる。
【００４３】
図９にインターネットデータ保存制限システムのハードウェアブロック構成例を示す。図９において、ネットワーク側には無線基地局９−１、公衆無線交換局９−２、ゲートウェイサーバ９−３、及び情報提供サーバ９−４が備えられる。情報提供サーバ９−４内には、ＬＡＮ制御部９−４１、プロセッサ９−４２、及び記憶部９−４３が備えられる。
【００４４】
無線基地局９−１は、携帯電話に対して通信用の無線チャネルを設定し、公衆無線交換局９−２は、回線網を介する呼設定接続を行い、ゲートウェイサーバ９−３は、公衆無線交換局９−２の回線網と情報提供サーバ９−４等とを接続する機能を有する。
【００４５】
情報提供サーバ９−４内のＬＡＮ制御部９−４１は、ゲートウェイサーバ９−３とのＬＡＮ接続を制御し、プロセッサ９−４２は、情報提供サーバ９−４における各種処理の実行を制御する。記憶部９−４３は、各種処理を実行するプログラムを記憶するプログラム記憶部、データを記憶するデータ記憶部、ランダムアクセスメモリ、ウェブページ等を保存する保存用記憶部を備える。
【００４６】
携帯電話Ａ（子）９−５及び携帯電話Ｂ（親）９−６には、それぞれ、無線通信部９−５１，９−６１、マイク９−５２，９−６２、スピーカ９−５３，９−６３、音声入出力部９−５４，９−６４、表示部９−５５，９−６５、入力部９−５６，９−６６、プロセッサ９−５７，９−６７、記憶部９−５８，９−６８を備える。
【００４７】
無線通信部９−５１，９−６１は、ＷＣＤＭＡ方式等による公共無線通信を行う機能、及びブルートゥース等の近距離通信を行う機能を有する。マイク９−５２，９−６２、スピーカ９−５３，９−６３、及び音声入出力部９−５４，９−６４は、音声信号の入出力の機能を有する。
【００４８】
表示部９−５５，９−６５は、各種情報を画面に表示する機能を有し、入力部９−５６，９−６６は、各種データを入力する機能を有する。プロセッサ９−５７，９−６７は、各種処理の実行を制御する機能を有する。記憶部９−５８，９−６８は、各種処理を実行するプログラムを記憶するプログラム記憶部、データを記憶するデータ記憶部、ランダムアクセスメモリ、保存用記憶部、一時保存用記憶部を備える。
【００４９】
情報提供サーバ９−４、携帯電話Ａ（子）９−５及び携帯電話Ｂ（親）９−６は、以下に説明する機能ブロックを実現するためのプログラムを格納したプログラム記憶部をそれぞれ備えており、それぞれのプロセッサがこれらのプログラムを実行することにより、以下に説明する各機能ブロックとしてのプロセスが生成される。
【００５０】
なお、上記した各プログラムについては、必ずしもプログラム記憶部に記憶させなくてもよい。例えば、フレキシブルディスク（ＦＤ）、ＣＤ−ＲＯＭ、ＭＯディスク、ＤＶＤディスク、光磁気ディスク、ＩＣカードなどの「可搬用の物理媒体」にこれらのプログラムを記憶させてもよい。または、公衆回線、インターネット、ＬＡＮ、ＷＡＮなどを介して通信端末装置に接続される「他のコンピュータ（またはサーバ）」にこれらのプログラムを記憶させてもよい。そして、通信端末装置は、上述したフレキシブルディスク等から各プログラムを読み出して実行するようにしてもよい。
【００５１】
図１０に携帯電話Ａ、Ｂ及び情報提供サーバＣの機能ブロック構成例を示す。携帯電話Ａ（子）は、ブルートゥース通信制御部１０−１、無線制御部１０−２、親子同期処理部１０−３、呼制御部１０−４、ウェブページ取得部１０−５、ウェブページ複写部１０−６、保存条件判定部１０−７、承認転送要求部１０−８、入出力制御部１０−９、表示制御部１０−１０を備える。
【００５２】
携帯電話Ｂ（親）は、ブルートゥース通信制御部１０−１１、無線制御部１０−１２、親子同期処理部１０−１３、呼制御部１０−１４、承認済みウェブページ転送部１０−１５、複写承認部１０−１６、入出力制御部１０−１７、表示制御部１０−１８を備える。情報提供サーバＣは、ＬＡＮ制御部１０−２１、ウェブページ送信部１０−２２、データ転送部１０−２３を備える。
【００５３】
ブルートゥース通信制御部１０−１，１０−１１は、携帯電話Ａ（子）と携帯電話Ｂ（親）との間のブルートゥースによる近距離通信の制御機能を有する。無線制御部１０−２，１０−１２は、基地局との間のＣＤＭＡ方式等による公衆無線通信の制御機能を有する。
【００５４】
親子同期処理部１０−３，１０−１３は、前述の図１の親子同期処理１−１（及び図２で説明した携帯電話Ａ（子）と携帯電話Ｂ（親）との間の同期処理）を実行する機能を有する。呼制御部１０−４，１０−１４は、無線制御部１０−２，１０−１２を介して接続される呼設定を制御する機能を有する。
【００５５】
ウェブページ取得部１０−５は、前述の図１のウェブページ取得処理１−２（及び図３で説明した携帯電話Ａ（子）と情報提供サーバＣとの間のウェブページ取得処理）を実行する機能を有する。ウェブページ複写部１０−６は、前述の図１のウェブページ複写処理１−１６（及び図８で説明した携帯電話Ａ（子）のウェブページ複写処理）を実行する機能を有する。
【００５６】
保存条件判定部１０−７は、前述の図１の保存条件判定処理１−４（及び図４で説明した携帯電話Ａ（子）における保存条件判処理）を実行する機能を有する。承認転送要求部１０−８は、前述の図１の承認転送１−６（及び図５で説明した携帯電話Ａ（子）における承認転送要求処理）を実行する機能を有する。
【００５７】
承認済みウェブページ転送部１０−１５は、前述の図１の承認済みウェブページ転送１−１３（及び図７で説明した携帯電話Ｂ（親）における承認済みウェブページ転送処理）を実行する機能を有する。複写承認部１０−１６は、前述の図１の複写承認処理１−８（及び図６で説明した携帯電話Ｂ（親）における複写承認処理）を実行する機能を有する。
【００５８】
ＬＡＮ制御部１０−２１は、情報提供サーバＣと、ゲートウェイサーバとのＬＡＮ接続を制御する機能を有する。ウェブページ送信部１０−２２は、前述の図１のウェブページ送信処理１−３（及び図３で説明した情報提供サーバＣにおけるウェブページ送信処理）を実行する機能を有する。データ転送部１０−２３は、前述の図１のデータ転送処理１−７（及び図５で説明した情報提供サーバＣにおけるデータ転送処理）を実行する機能を有する。
【００５９】
図１１に携帯電話の表示画面の一例を示す。図１１の（ａ）は、前述の図２で説明した親子同期処理において、携帯電話Ｂ（親）で報知情報を基にブルートゥース装置情報を表示する処理（２−５）における表示例である。図１１の（ｂ）は、前述の図３で説明したウェブページ取得処理のブラウザ画面表示処理（３−７）において、携帯電話Ａ（子）でウェブページを選択画像複写実行ボタンと共に表示する表示例である。
【００６０】
図１１の（ｃ）は、前述の図６で説明した複写承認処理における複写承認待ちコンテンツの表示（６−１）及び複写承認用のソフトウェアキー表示（６−２）において、携帯電話Ｂ（親）で複写承認画像の一覧と共に複写承認用のソフトウェアキーを表示する表示例である。
【００６１】
このインターネットデータ保存制限システムでは、子供等の被監督者の通信端末装置でインターネット上の情報提供サーバからダウンロードした画像等のデータのファイルを保存しようした場合に、親等の監督者の通信端末装置の内部メモリに該ファイルを一旦保存する。
【００６２】
そして、親等の監督者がその画像等のデータのファイルを見て確認し、複写を許可した場合に、子供等の被監督者の通信端末装置の内部メモリに、親等の監督者の通信端末装置の内部メモリから該ファイルを転送する。
【符号の説明】
【００６３】
Ａ  携帯電話（子供）
Ｂ  携帯電話(親)
Ｃ  情報提供サーバ
１−１  親子同期処理
１−２  ウェブページ取得処理
１−３  ウェブページ送信処理
１−４  保存条件判定処理
１−５  保存条件判定
１−６  承認転送要求
１−７  データ転送処理
１−８  複写承認処理
１−９  複写承認
１−１０  承認不可通知
１−１１  転送データ消去
１−１２  承認通知
１−１３  承認済みのウェブページ転送
１−１４  複写承認待ち
１−１５  承認不可表示
１−１６  ウェブページ複写処理
９−１  無線基地局
９−２  公衆無線交換局
９−３  ゲートウェイサーバ
９−４  情報提供サーバ
９−４１  ＬＡＮ制御部
９−４２  プロセッサ
９−４３  記憶部
９−５１，９−６１  無線通信部
９−５２，９−６２  マイク
９−５３，９−６３  スピーカ
９−５４，９−６４  音声入出力部
９−５５，９−６５  表示部
９−５６，９−６６  入力部
９−５７，９−６７  プロセッサ
９−５８，９−６８  記憶部
１０−１  ブルートゥース通信制御部
１０−２  無線制御部
１０−３  親子同期処理部
１０−４  呼制御部
１０−５  ウェブページ取得部
１０−６  ウェブページ複写部
１０−７  保存条件判定部
１０−８  承認転送要求部
１０−９  入出力制御部
１０−１０  表示制御部
１０−１１  ブルートゥース通信制御部
１０−１２  無線制御部
１０−１３  親子同期処理部
１０−１４  呼制御部
１０−１５  承認済みウェブページ転送部
１０−１６  複写承認部
１０−１７  入出力制御部
１０−１８  表示制御部
１０−２１  ＬＡＮ制御部
１０−２２  ウェブページ送信部
１０−２３  データ転送部
【図１】
0005556392.tif 000002
【図２】
0005556392.tif 000003
【図３】
0005556392.tif 000004
【図４】
0005556392.tif 000005
【図５】
0005556392.tif 000006
【図６】
0005556392.tif 000007
【図７】
0005556392.tif 000008
【図８】
0005556392.tif 000009
【図９】
0005556392.tif 000010
【図１０】
0005556392.tif 000011
【図１１】
0005556392.tif 000012
【図１２】
0005556392.tif 000013